(57)【要約】【課題】評価対象がスティーブンス・ジョンソン症候群（ＳＪＳ）及び／又は中毒性表皮壊死症（ＴＥＮ）に罹患しているか否か又は発症する可能性を有するか否かを評価することができる評価方法、評価対象がＳＪＳ及び／又はＴＥＮに罹患しているか否か又は発症する可能性を有するか否かの評価に用いることができるデータ取得方法、及び評価対象がＳＪＳ及び／又はＴＥＮに罹患しているか否か又は発症する可能性を有するか否かを評価することができる評価用キットを提供する。【解決手段】評価対象由来の試料における、好中球ゼラチナーゼ関連リポカリン及びカテリシジン抗菌ペプチドＬＬ−３７の少なくともいずれかの量を指標として、評価対象がＳＪＳ及び／又はＴＥＮに罹患しているか否か又は発症する可能性を有するか否かを評価する評価工程を含む評価対象がＳＪＳ及び／又はＴＥＮに罹患しているか否か又は発症する可能性を有するか否かを評価する方法である。【選択図】なし【特許請求の範囲】
【請求項１】
評価対象がスティーブンス・ジョンソン症候群（Ｓｔｅｖｅｎｓ−Ｊｏｈｎｓｏｎ  Ｓｙｎｄｒｏｍｅ：ＳＪＳ）及び／又は中毒性表皮壊死症（Ｔｏｘｉｃ  ｅｐｉｄｅｒｍａｌ  ｎｅｃｒｏｌｙｓｉｓ：ＴＥＮ）に罹患しているか否か又は発症する可能性を有するか否かを評価する方法であって、
評価対象由来の試料における、好中球ゼラチナーゼ関連リポカリン（Ｎｅｕｔｒｏｐｈｉｌ  ｇｅｌａｔｉｎａｓｅ−ａｓｓｏｃｉａｔｅｄ  ｌｉｐｏｃａｌｉｎ：ＮＧＡＬ）及びカテリシジン抗菌ペプチド（Ｃａｔｈｅｌｉｃｉｄｉｎ  ａｎｔｉｍｉｃｒｏｂｉａｌ  ｐｅｐｔｉｄｅ）ＬＬ−３７の少なくともいずれかの量を指標として、評価対象がＳＪＳ及び／又はＴＥＮに罹患しているか否か又は発症する可能性を有するか否かを評価する評価工程を含むことを特徴とする評価方法。
【請求項２】
前記評価工程において、前記試料中のＮＧＡＬ及びカテリシジン抗菌ペプチドＬＬ−３７の少なくともいずれかの量が、（１）ＳＪＳ及び／又はＴＥＮに罹患していない個体由来の試料におけるＮＧＡＬ及びカテリシジン抗菌ペプチドＬＬ−３７の少なくともいずれかの量に基づく値よりも多い場合、及び（２）ＳＪＳ及び／又はＴＥＮ罹患個体由来の試料におけるＮＧＡＬ及びカテリシジン抗菌ペプチドＬＬ−３７の少なくともいずれかの量に基づく値と同量以上の場合の少なくともいずれかの場合に、評価対象がＳＪＳ及び／又はＴＥＮに罹患している又は発症する可能性を有すると評価する請求項１に記載の評価方法。
【請求項３】
前記試料が、体液である請求項１から２のいずれかに記載の評価方法。
【請求項４】
前記評価対象が、水疱、びらん、及び粘膜疹の少なくともいずれかの症状が出現していない評価対象である請求項１から３のいずれかに記載の評価方法。
【請求項５】
前記試料におけるＮＧＡＬ及びカテリシジン抗菌ペプチドＬＬ−３７の少なくともいずれかの量を測定する測定工程を含む請求項１から４のいずれかに記載の評価方法。
【請求項６】
評価対象がＳＪＳ及び／又はＴＥＮに罹患しているか否か又は発症する可能性を有するか否かを評価するためのデータを取得する方法であって、
前記評価対象由来の試料におけるＮＧＡＬ及びカテリシジン抗菌ペプチドＬＬ−３７の少なくともいずれかの量を測定する測定工程を含むことを特徴とするデータ取得方法。
【請求項７】
前記試料が、体液である請求項６に記載のデータ取得方法。
【請求項８】
前記評価対象が、水疱、びらん、及び粘膜疹の少なくともいずれかの症状が出現していない評価対象である請求項６から７のいずれかに記載のデータ取得方法。
【請求項９】
評価対象がＳＪＳ及び／又はＴＥＮに罹患しているか否か又は発症する可能性を有するか否かを評価するためのキットであって、
ＮＧＡＬ及びカテリシジン抗菌ペプチドＬＬ−３７の少なくともいずれかの検出手段を含むことを特徴とする評価用キット。
【発明の詳細な説明】
【技術分野】
【０００１】
本発明は、評価対象がスティーブンス・ジョンソン症候群及び／又は中毒性表皮壊死症に罹患しているか否か又は発症する可能性を有するか否かを評価する評価方法、評価対象がスティーブンス・ジョンソン症候群及び／又は中毒性表皮壊死症に罹患しているか否か又は発症する可能性を有するか否かを評価するためのデータを取得する方法、及び評価対象がスティーブンス・ジョンソン症候群及び／又は中毒性表皮壊死症に罹患しているか否か又は発症する可能性を有するか否かを評価するための評価用キットに関する。
【背景技術】
【０００２】
薬疹とは、内服薬や注射薬などの投薬により皮膚粘膜の障害をきたす疾患である。特に重症薬疹は、全身の広範な表皮壊死を特徴とし、表皮壊死面積により、スティーブンス・ジョンソン症候群（Ｓｔｅｖｅｎｓ−Ｊｏｈｎｓｏｎ  Ｓｙｎｄｒｏｍｅ、以下、「ＳＪＳ」と称することがある。）と中毒性表皮壊死症（Ｔｏｘｉｃ  ｅｐｉｄｅｒｍａｌ  ｎｅｃｒｏｌｙｓｉｓ、以下、「ＴＥＮ」と称することがある。）に大別される。ＳＪＳ及びＴＥＮは薬剤による健康障害の中で最重症であり、致死率が５〜３０％と高率である。また、救命できても失明など重篤な後遺症を残す患者は多い。
ＳＪＳ及びＴＥＮの病態は、ＣＤ８  Ｔ細胞による獲得免疫反応と、その後の全身に及ぶ広範な表皮細胞の壊死による生体バリアの崩壊であるが、獲得免疫反応から表皮細胞死に至るまでの一連の発症機序は不明であった。
【０００３】
ＳＪＳ及びＴＥＮの治療としては、発熱や発疹などの初期症状を認めた場合に、原因と推定される医薬品の投与を直ちに中止することが最も重要で最良の治療法であるといわれており、早期診断が非常に重要である。
【０００４】
しかしながら、ＳＪＳ及びＴＥＮに特徴的な症状（水疱、びらん、粘膜疹）が出現する前の発症初期の臨床像では、ＳＪＳ及びＴＥＮと、皮疹のみ出現する通常薬疹とを的確に鑑別することが困難であるという問題がある。
【０００５】
そのため、ＳＪＳ及び／又はＴＥＮ患者を早期に見つけ出し、迅速に治療することができれば、致死や失明に至る患者を減らすことができると考えられ、発症初期でも診断可能であり、簡易かつ迅速に診断できる技術の開発が期待されている。
【０００６】
これまでの技術としては、水疱内容液中のグラニュライシン（Ｇｒａｎｕｌｙｓｉｎ）、血清中のＦａｓリガンド（Ｆａｓ  ｌｉｇａｎｄ）が、ＳＪＳ及びＴＥＮの早期診断の指標となり得ることが示唆されているが、感度などの問題により実用化に至っていない。
【０００７】
したがって、ＳＪＳ及び／又はＴＥＮに罹患しているか否か又は発症する可能性を有するか否かを評価することができる新たな技術の速やかな提供が強く求められているのが現状である。
【０００８】
なお、好中球ゼラチナーゼ関連リポカリン（Ｎｅｕｔｒｏｐｈｉｌ  ｇｅｌａｔｉｎａｓｅ−ａｓｓｏｃｉａｔｅｄ  ｌｉｐｏｃａｌｉｎ、以下、「ＮＧＡＬ」と称することがある。）は、癌に対するバイオマーカーとなり得ることが報告されている（例えば、特許文献１参照）が、ＳＪＳ及び／又はＴＥＮのバイオマーカーとなり得ることは知られていない。
【先行技術文献】
【特許文献】
【０００９】
【特許文献１】特表２００９−５２７７３５号公報
【発明の概要】
【発明が解決しようとする課題】
【００１０】
本発明は、従来における前記諸問題を解決し、以下の目的を達成することを課題とする。即ち、本発明は、評価対象がＳＪＳ及び／又はＴＥＮに罹患しているか否か又は発症する可能性を有するか否かを評価することができる評価方法、評価対象がＳＪＳ及び／又はＴＥＮに罹患しているか否か又は発症する可能性を有するか否かの評価に用いることができるデータ取得方法、及び評価対象がＳＪＳ及び／又はＴＥＮに罹患しているか否か又は発症する可能性を有するか否かを評価することができる評価用キットを提供すること目的とする。
【課題を解決するための手段】
【００１１】
本発明者らは、前記目的を達成するべく鋭意検討を行った結果、ＳＪＳ及びＴＥＮにおける獲得免疫反応から表皮細胞死に至るまでの一連の発症機序を解明し、ＳＪＳ及びＴＥＮ患者では、発症初期から、試料中のＮＧＡＬ及びカテリシジン抗菌ペプチド（Ｃａｔｈｅｌｉｃｉｄｉｎ  ａｎｔｉｍｉｃｒｏｂｉａｌ  ｐｅｐｔｉｄｅ）ＬＬ−３７（以下、「カテリシジン抗菌ペプチドＬＬ−３７」又は「ＬＬ−３７」と称することがある。）の量が、ＳＪＳ及び／又はＴＥＮに罹患していない個体由来の試料における量と比べて有意に上昇していることを知見した。
【００１２】
本発明は、本発明者らによる前記知見に基づくものであり、前記課題を解決するための手段としては、以下の通りである。即ち、
＜１＞  評価対象がＳＪＳ及び／又はＴＥＮに罹患しているか否か又は発症する可能性を有するか否かを評価する方法であって、
評価対象由来の試料における、ＮＧＡＬ及びカテリシジン抗菌ペプチドＬＬ−３７の少なくともいずれかの量を指標として、評価対象がＳＪＳ及び／又はＴＥＮに罹患しているか否か又は発症する可能性を有するか否かを評価する評価工程を含むことを特徴とする評価方法である。
＜２＞  前記評価工程において、前記試料中のＮＧＡＬ及びカテリシジン抗菌ペプチドＬＬ−３７の少なくともいずれかの量が、（１）ＳＪＳ及び／又はＴＥＮに罹患していない個体由来の試料におけるＮＧＡＬ及びカテリシジン抗菌ペプチドＬＬ−３７の少なくともいずれかの量に基づく値よりも多い場合、及び（２）ＳＪＳ及び／又はＴＥＮ罹患個体由来の試料におけるＮＧＡＬ及びカテリシジン抗菌ペプチドＬＬ−３７の少なくともいずれかの量に基づく値と同量以上の場合の少なくともいずれかの場合に、評価対象がＳＪＳ及び／又はＴＥＮに罹患している又は発症する可能性を有すると評価する前記＜１＞に記載の評価方法である。
＜３＞  前記試料が、体液である前記＜１＞から＜２＞のいずれかに記載の評価方法である。
＜４＞  前記評価対象が、水疱、びらん、及び粘膜疹の少なくともいずれかの症状が出現していない評価対象である前記＜１＞から＜３＞のいずれかに記載の評価方法である。
＜５＞  前記試料におけるＮＧＡＬ及びカテリシジン抗菌ペプチドＬＬ−３７の少なくともいずれかの量を測定する測定工程を含む前記＜１＞から＜４＞のいずれかに記載の評価方法である。
＜６＞  評価対象がＳＪＳ及び／又はＴＥＮに罹患しているか否か又は発症する可能性を有するか否かを評価するためのデータを取得する方法であって、
前記評価対象由来の試料におけるＮＧＡＬ及びカテリシジン抗菌ペプチドＬＬ−３７の少なくともいずれかの量を測定する測定工程を含むことを特徴とするデータ取得方法である。
＜７＞  前記試料が、体液である前記＜６＞に記載のデータ取得方法である。
＜８＞  記評価対象が、水疱、びらん、及び粘膜疹の少なくともいずれかの症状が出現していない評価対象である前記＜６＞から＜７＞のいずれかに記載のデータ取得方法である。
＜９＞  評価対象がＳＪＳ及び／又はＴＥＮに罹患しているか否か又は発症する可能性を有するか否かを評価するためのキットであって、
ＮＧＡＬ及びカテリシジン抗菌ペプチドＬＬ−３７の少なくともいずれかの検出手段を含むことを特徴とする評価用キットである。
【発明の効果】
【００１３】
本発明によれば、従来における前記諸問題を解決し、前記目的を達成することができ、評価対象がＳＪＳ及び／又はＴＥＮに罹患しているか否か又は発症する可能性を有するか否かを評価することができる評価方法、評価対象がＳＪＳ及び／又はＴＥＮに罹患しているか否か又は発症する可能性を有するか否かの評価に用いることができるデータ取得方法、及び評価対象がＳＪＳ及び／又はＴＥＮに罹患しているか否か又は発症する可能性を有するか否かを評価することができる評価用キットを提供することができる。
【図面の簡単な説明】
【００１４】
【図１】図１は、試験例１の血中のＮＧＡＬ濃度を測定した結果を示す図である。
【図２】図２は、試験例２の尿中のＮＧＡＬ濃度を測定した結果を示す図である。
【図３】図３は、試験例３の血中のカテリシジン抗菌ペプチドＬＬ−３７濃度を測定した結果を示す図である。
【発明を実施するための形態】
【００１５】
（評価方法）
本発明の評価方法は、評価対象がＳＪＳ及び／又はＴＥＮに罹患しているか否か又は発症する可能性を有するか否かを評価する方法であって、評価工程を少なくとも含み、必要に応じて更にその他の工程を含む。
【００１６】
前記ＳＪＳ及びＴＥＮは、全身の広範な表皮壊死を特徴とする重症薬疹であり、表皮壊死面積により、ＳＪＳ（表皮壊死面積が１０％未満）とＴＥＮ（表皮壊死面積が１０％以上）に区別される。
【００１７】
＜評価工程＞
前記評価工程は、評価対象由来の試料における、好中球ゼラチナーゼ関連リポカリン（Ｎｅｕｔｒｏｐｈｉｌ  ｇｅｌａｔｉｎａｓｅ−ａｓｓｏｃｉａｔｅｄ  ｌｉｐｏｃａｌｉｎ：ＮＧＡＬ）及びカテリシジン抗菌ペプチド（Ｃａｔｈｅｌｉｃｉｄｉｎ  ａｎｔｉｍｉｃｒｏｂｉａｌ  ｐｅｐｔｉｄｅ）ＬＬ−３７の少なくともいずれかの量を指標として、評価対象がＳＪＳ及び／又はＴＥＮに罹患しているか否か又は発症する可能性を有するか否かを評価する工程である。
【００１８】
＜＜評価対象＞＞
前記評価対象としては、ＳＪＳ及び／又はＴＥＮに罹患しているか否か又は発症する可能性を有するか否かの評価が必要な対象であれば、特に制限はなく、目的に応じて適宜選択することができ、例えば、ヒトが好適に挙げられる。なお、前記評価が求められる対象である限り、ヒト以外の種であってもよい。
【００１９】
本発明の評価方法によれば、ＳＪＳ及び／又はＴＥＮに罹患しているか否か又は発症する可能性を有するか否かを早期に評価することができるので、ＳＪＳ及び／又はＴＥＮに特徴的な症状である水疱、びらん、及び粘膜疹の少なくともいずれかの症状が出現していない評価対象に好適に用いることができる。
【００２０】
＜＜試料＞＞
前記試料としては、特に制限はなく、目的に応じて適宜選択することができ、例えば、体液などが挙げられる。前記体液としては、特に制限はなく、目的に応じて適宜選択することができ、例えば、血液、尿、水疱内容液、涙、唾液などが挙げられる。これらは、１種単独で使用してもよいし、２種以上を併用してもよい。
これらの中でも、血液、尿、及び水疱内容液からなる群から選択される少なくとも１種が好ましく、早期診断の観点から血液及び尿の少なくともいずれかがより好ましく、非侵襲的に簡便に取得できる点で尿が更に好ましい。
前記試料の調製方法としては、特に制限はなく、公知の方法を適宜選択することができる。
【００２１】
＜＜ＮＧＡＬ＞＞
前記ＮＧＡＬのアミノ酸配列等の情報は、公共のデータベース等から容易に入手することができ、例えば、ヒトのＮＧＡＬのアミノ酸配列は、ＮＣＢＩにおいて、ＣＡＡ６７５７４で登録されている。
【００２２】
＜＜カテリシジン抗菌ペプチドＬＬ−３７＞＞
前記カテリシジン抗菌ペプチドＬＬ−３７のアミノ酸配列等の情報は、公共のデータベース等から容易に入手することができ、例えば、ヒトのカテリシジン抗菌ペプチドＬＬ−３７のアミノ酸配列は、ＮＣＢＩにおいて、２ＬＭＦ＿Ａで登録されている。
【００２３】
＜＜評価＞＞
後述する実施例の項目に示したように、ＳＪＳ及び／又はＴＥＮ患者では、試料中のＮＧＡＬの量及びカテリシジン抗菌ペプチドＬＬ−３７の量が著しく上昇する。したがって、評価対象由来の試料における、ＮＧＡＬ及びカテリシジン抗菌ペプチドＬＬ−３７の少なくともいずれかの量を指標として、評価対象がＳＪＳ及び／又はＴＥＮに罹患しているか否か又は発症する可能性を有するか否かを評価することができる。
【００２４】
前記評価工程では、ＮＧＡＬの量及びカテリシジン抗菌ペプチドＬＬ−３７の量のいずれか一方を指標としてもよいし、両方を指標としてもよいが、より高い精度で評価することができる点で、両者を指標とすることが好ましい。
【００２５】
前記評価工程におけるＮＧＡＬ及びカテリシジン抗菌ペプチドＬＬ−３７の少なくともいずれかの量は、前記評価工程の実施と併せて測定してもよいし、予め測定しておいてもよい。
【００２６】
前記評価工程では、前記試料中のＮＧＡＬ及びカテリシジン抗菌ペプチドＬＬ−３７の少なくともいずれかの量が、（１）ＳＪＳ及び／又はＴＥＮに罹患していない個体由来の試料におけるＮＧＡＬ及びカテリシジン抗菌ペプチドＬＬ−３７の少なくともいずれかの量に基づく値（以下、「基準値（１）」と称することがある。）よりも多い場合、及び（２）ＳＪＳ及び／又はＴＥＮ罹患個体由来の試料におけるＮＧＡＬ及びカテリシジン抗菌ペプチドＬＬ−３７の少なくともいずれかの量に基づく値（以下、「基準値（２）」と称することがある。）と同量以上の場合、の少なくともいずれかの場合に、評価対象がＳＪＳ及び／又はＴＥＮに罹患している又は発症する可能性を有すると評価することができる。
【００２７】
前記（１）の態様における基準値（１）は、ＳＪＳ及び／又はＴＥＮに罹患していない個体、即ち非罹患個体由来の試料におけるＮＧＡＬ及びカテリシジン抗菌ペプチドＬＬ−３７の少なくともいずれかの量（以下、「正常量」と称することがある。）に基づく値であり、正常量若しくは正常量に近い値を設定することができる。
【００２８】
前記（１）の場合におけるＳＪＳ及び／又はＴＥＮに罹患していない個体は、評価対象と同一（即ち、評価対象が、ＳＪＳ及び／又はＴＥＮに罹患していないとき）であってもよいし、異なっていてもよい。
なお、前記ＳＪＳ及び／又はＴＥＮに罹患していない個体には、薬疹疾患に罹患していない個体だけではなく、ＳＪＳ及び／又はＴＥＮ以外の薬疹疾患に罹患している個体も含まれる。
【００２９】
前記（２）の態様における基準値（２）は、ＳＪＳ及び／又はＴＥＮに罹患している個体、即ち罹患個体由来の試料におけるＮＧＡＬ及びカテリシジン抗菌ペプチドＬＬ−３７の少なくともいずれかの量（以下、「非正常量」と称することがある。）に基づく値であり、非正常量若しくは非正常量に近い値を設定することができる。
【００３０】
前記（２）の場合におけるＳＪＳ及び／又はＴＥＮ罹患個体は、評価対象と同一（即ち、評価対象が、ＳＪＳ及び／又はＴＥＮに罹患していたとき）であってもよいし、異なっていてもよい。
【００３１】
前記基準値（１）及び基準値（２）は、前記評価方法を実施する際に併せて測定した量に基づいて設定した値を使用してもよいし、予め設定した値を使用してもよい。
【００３２】
＜その他の工程＞
前記その他の工程としては、本発明の効果を損なわない限り、特に制限はなく、目的に応じて適宜選択することができ、例えば、試料調製工程、測定工程などが挙げられる。
【００３３】
＜＜試料調製工程＞＞
前記試料調製工程は、評価対象由来の試料を調製する工程であり、試料の種類や測定方法等に応じて、公知の方法を適宜選択することができる。
【００３４】
＜＜測定工程＞＞
前記測定工程は、前記試料におけるＮＧＡＬ及びカテリシジン抗菌ペプチドＬＬ−３７の少なくともいずれかの量を測定する工程である。
【００３５】
前記試料におけるＮＧＡＬ及びカテリシジン抗菌ペプチドＬＬ−３７の少なくともいずれかの量を測定する方法としては、特に制限はなく、公知の方法を適宜選択することができ、例えば、タンパク質の量を測定する方法、ｍＲＮＡの量を測定する方法などが挙げられる。これらは、１種単独で使用してもよいし、２種以上を併用してもよい。これらの中でも、迅速診断に有用である点で、タンパク質の量を測定する方法が好ましい。
【００３６】
前記タンパク質の量を測定する方法としては、特に制限はなく、公知の方法を適宜選択することができ、例えば、免疫学的測定法、質量分析法などが挙げられる。これらの中でも、ＥＩＡ法、ＥＬＩＳＡ法といった酵素免疫測定法が、１００μＬ程度の微量の試料で、迅速診断することが可能である点で、有利である。
前記酵素免疫測定法は、公知の手段を適宜選択して実施することができる。
【００３７】
前記ｍＲＮＡの量を測定する方法としては、特に制限はなく、公知の方法を適宜選択することができ、例えば、ＰＣＲ法、ＤＮＡアレイ法などが挙げられる。
【００３８】
前記試料におけるＮＧＡＬ及びカテリシジン抗菌ペプチドＬＬ−３７の少なくともいずれかの量は、市販されているキットを使用して測定することもできる。
【００３９】
本発明の評価方法によれば、ＳＪＳ及び／又はＴＥＮに罹患しているか否か又は発症する可能性を有するか否かを高い精度で迅速に評価することができ、また、疾患の早期の段階での評価も可能である。
【００４０】
したがって、本発明は、前記評価工程を少なくとも含み、必要に応じて更に前記その他の工程を含む、評価対象がＳＪＳ及び／又はＴＥＮに罹患しているか否か又は発症する可能性を有するか否かを診断する方法、又は評価対象がＳＪＳ及び／又はＴＥＮに罹患しているか否か又は発症する可能性を有するか否かの診断を補助する方法にも関する。
また、本発明は、評価対象がＳＪＳ及び／又はＴＥＮに罹患しているか否か又は発症する可能性を有するか否かを評価、診断、又は診断補助するためのバイオマーカーであって、ＮＧＡＬ及びカテリシジン抗菌ペプチドＬＬ−３７の少なくともいずれかからなるバイオマーカーにも関する。
【００４１】
（データ取得方法）
本発明のデータ取得方法は、評価対象がＳＪＳ及び／又はＴＥＮに罹患しているか否か又は発症する可能性を有するか否かを評価するためのデータを取得する方法であって、測定工程を少なくとも含み、必要に応じて更にその他の工程を含む。
【００４２】
＜測定工程＞
前記データ取得方法における測定工程は、前記評価対象由来の試料におけるＮＧＡＬ及びカテリシジン抗菌ペプチドＬＬ−３７の少なくともいずれかの量を測定する工程であり、上記した本発明の（評価方法）の＜その他の工程＞における＜＜測定工程＞＞の項目に記載したものと同様にして行うことができる。
前記評価対象、及び前記試料は、上記した本発明の（評価方法）における＜評価工程＞の項目に記載したものと同様とすることができる。
【００４３】
＜その他の工程＞
前記データ取得方法におけるその他の工程としては、本発明の効果を損なわない限り、特に制限はなく、目的に応じて適宜選択することができ、例えば、試料調製工程などが挙げられる。
【００４４】
＜＜試料調製工程＞＞
前記データ取得方法における試料調製工程は、評価対象由来の試料を調製する工程であり、上記した本発明の（評価方法）の＜その他の工程＞における＜＜試料調製工程＞＞の項目に記載したものと同様にして行うことができる。
【００４５】
本発明のデータ取得方法によれば、ＳＪＳ及び／又はＴＥＮに罹患しているか否か又は発症する可能性を有するか否かを高い精度で迅速に評価したり、疾患の早期の段階で評価したりするのに有用なデータを取得することができる。
【００４６】
（評価用キット）
本発明の評価用キットは、評価対象がＳＪＳ及び／又はＴＥＮに罹患しているか否か又は発症する可能性を有するか否かを評価するためのキットであって、ＮＧＡＬ及びカテリシジン抗菌ペプチドＬＬ−３７の少なくともいずれかの検出手段を少なくとも含み、必要に応じて更にその他の構成を含む。
【００４７】
＜検出手段＞
前記ＮＧＡＬ及びカテリシジン抗菌ペプチドＬＬ−３７の少なくともいずれかの検出手段としては、特に制限はなく、検出する物質の態様に応じて適宜選択することができ、例えば、ＮＧＡＬ及びカテリシジン抗菌ペプチドＬＬ−３７の少なくともいずれかのタンパク質検出用抗体、ＮＧＡＬ及びカテリシジン抗菌ペプチドＬＬ−３７の少なくともいずれかの遺伝子検出用プライマーセットなどが挙げられる。前記検出手段は、１種単独であってもよいし、２種以上であってもよい。
前記検出手段は、適宜設計・調製したものや市販品を用いることができる。
これらの中でも、酵素免疫測定法によりＮＧＡＬ及びカテリシジン抗菌ペプチドＬＬ−３７の少なくともいずれかを検出できる検出手段が、微量の試料で迅速に測定することができ、各医療機関でも使用することができる点で、好ましい。
【００４８】
前記抗体は、必要に応じて蛍光物質の標識などを含んでいてもよい。また、前記抗体の種類としては、特に制限はなく、目的に応じて適宜選択することができ、例えば、モノクローナル抗体、ポリクローナル抗体、ヒト抗体、キメラ抗体、ヒト化抗体などが挙げられる。
【００４９】
＜その他の構成＞
前記その他の構成としては、本発明の効果を損なわない限り、特に制限はなく、目的に応じて適宜選択することができ、例えば、免疫学的測定法に用いる試薬、ＰＣＲ法に用いる試薬、キットの取扱説明書、ＳＪＳ及び／又はＴＥＮに罹患しているか否か又は発症する可能性を有するか否かを評価するための説明書などが挙げられる。
【００５０】
本発明の評価用キットによれば、ＳＪＳ及び／又はＴＥＮに罹患しているか否か又は発症する可能性を有するか否かを高い精度で迅速に評価することができ、また、疾患の早期の段階での評価も可能である。
したがって、本発明の評価用キットは、ＳＪＳ及び／又はＴＥＮに罹患しているか否か又は発症する可能性を有するか否かの診断用キット又は診断補助用キットとして用いることもできる。
【実施例】
【００５１】
以下、試験例に基づいて本発明をより具体的に説明するが、本発明は以下の試験例に制限されるものではない。
【００５２】
（試験例１）
健常人（６名）、通常の薬疹患者（１５名）、発症初期のＳＪＳ患者（１２名）、発症初期のＴＥＮ患者（３名）の血液を６ｍＬ採取した。発症初期のＳＪＳ患者（１２名）には、ＳＪＳの典型症状（水疱、びらん、及び粘膜疹の症状）が出現する前の患者を含む。採取した血液を２，５００ｒｐｍで１５分間遠心した後の上清（血清）を回収した。
前記血清中のＮＧＡＬの濃度は、Ｈｕｍａｎ  Ｌｉｐｏｃａｌｉｎ−２／ＮＧＡＬ  ＥＬＩＳＡ  Ｋｉｔ（製品番号：ＲＡＢ０３３２、Ｓｉｇｍａ  ａｌｄｒｉｃｈ社）を用い、添付されているプロトコールに基づいて測定し、解析した。
【００５３】
結果を図１に示す。ＳＪＳ又はＴＥＮ患者（図１中の「ＳＪＳ／ＴＥＮ」）の血清中のＮＧＡＬ濃度は平均３２．９ｎｇ／ｍＬであり、健常人の平均１３．１ｎｇ／ｍＬと比較して統計学的に有意に上昇していた（図１中の「＊＊」は、健常人群と比較した際の、Ｔｕｋｅｙ’ｓ  ｔｅｓｔによる統計法に基づいてｐ値＜０．０１と統計的有意な変化であることを示す。）。一方、通常の薬疹患者の血清中のＮＧＡＬ濃度は平均１６.６ｎｇ／ｍＬであり、健常人と比較して統計学的に有意な上昇はみられなかった。
したがって、血中のＮＧＡＬ濃度の上昇は、ＳＪＳ又はＴＥＮ患者に特異的であることが確認された。
【００５４】
（試験例２）
ＮＧＡＬは、小さい分泌ポリペプチドであり、プロテアーゼ耐性がある。そのため、血中で安定して存在し、比較的容易に尿へ排出される。そこで、通常の薬疹患者の尿中のＮＧＡＬの濃度と、ＳＪＳ患者の尿中のＮＧＡＬの濃度とを調べた。
通常の薬疹患者（６名）、ＳＪＳ患者（１名：ＳＪＳの典型症状（水疱、びらん、及び粘膜疹の症状）が出現する前の患者）の尿を８ｍＬ採取した。採取した尿を５００ｇで５分間遠心した後の上清を回収した。
前記上清中のＮＧＡＬの濃度は、好中球ゼラチナーゼ結合性リポカリンキット（Ｕ−ＮＧＡＬ・アボット）（アーキテクト社）を用い、添付されているプロトコールに基づいて測定し、解析した。
【００５５】
クレアチニン補正（以下、「Ｃｒｅ補正」と称することがある。）したＮＧＡＬの濃度を図２に示す。ＳＪＳ患者の尿中のＮＧＡＬ濃度は、１５７μｇ／ｇ  Ｃｒｅであった。これは、通常薬疹患者の平均値の７．３倍であり、著しく上昇していることが確認された。
【００５６】
（試験例３）
健常人（３名）、通常の薬疹患者（１１名）、ＳＪＳ患者（治療前１１名、治療開始後２〜４日５名、治療開始後５〜７日７名、治療開始後８〜１０日４名、治療開始後１１日以降６名）、ＴＥＮ患者（治療前３名、治療開始後２〜４日３名、治療開始後５〜７日２名、治療開始後８〜１０日１名、治療開始後１１日以降１名）の血液を６ｍＬ採取した。治療前のＳＪＳ患者（１１名）には、ＳＪＳの典型症状（水疱、びらん、及び粘膜疹の症状）が出現する前の患者を含む。採取した血液を２，５００ｒｐｍで１５分間遠心した後の上清（血清）を回収した。
前記血清中のカテリシジン抗菌ペプチドＬＬ−３７の濃度は、Ｈｕｍａｎ  Ａｎｔｉｂａｃｔｅｒｉａｌ  Ｐｅｐｔｉｄｅ  ＬＬ−３７  ＥＬＩＳＡ  Ｋｉｔ（製品番号：  ＣＳＢ−Ｅ１４９４８、ＣＵＳＡＢＩＯ社）を用い、添付されているプロトコールに基づいて測定し、解析した。
【００５７】
結果を図３に示す。ＳＪＳ又はＴＥＮ患者（図３中の「ＳＪＳ／ＴＥＮ」）の血清中のカテリシジン抗菌ペプチドＬＬ−３７濃度は、治療前から治療開始後７日の間において、健常人の平均値と比較して統計学的に有意に上昇していた（図３中の「＊＊」は、健常人群と比較した際のＴｕｋｅｙ’ｓ  ｔｅｓｔによる統計法に基づいてｐ値＜０．０１と統計的有意な変化であることを示す。）。
また、治療開始後８日以降では、治療前のＳＪＳ又はＴＥＮ患者の平均値と比較して統計学的に有意に減少していた（図３中の「＃＃」は、治療前のＳＪＳ又はＴＥＮ患者群と比較した際のＴｕｋｅｙ’ｓ  ｔｅｓｔによる統計法に基づいてｐ値＜０．０１と統計的有意な変化であることを示す。）。
したがって、血中のカテリシジン抗菌ペプチドＬＬ−３７濃度の上昇は、ＳＪＳ又はＴＥＮ患者に特異的であることが確認された。
【００５８】
以上の結果から、評価対象由来の試料におけるＮＧＡＬ及びカテリシジン抗菌ペプチドＬＬ−３７の少なくともいずれかの量を指標として、評価対象がＳＪＳ及び／又はＴＥＮに罹患しているか否か又は発症する可能性を有するか否かを評価できることが確認された。
【００５９】
本発明によれば、評価対象がＳＪＳ及び／又はＴＥＮに罹患しているか否か又は発症する可能性を有するか否かを、ＳＪＳ及び／又はＴＥＮに特徴的な水疱、びらん、及び粘膜疹の症状が出現する前のＳＪＳ及び／又はＴＥＮ発症初期においても評価することができるので、通常の薬疹と誤診され易いＳＪＳ及び／又はＴＥＮ患者の早期例を適切に診断し、致死や失明に至る患者を減らすことができる。
【図１】
2020139901.tif 000002
【図２】
2020139901.tif 000003
【図３】
2020139901.tif 000004